(57)【要約】      （修正有）【課題】主軸部を回転させる簡単な操作で、所定位置に楕円を加工でき、さらに、異なるサイズの楕円、同心多凸円を加工できる楕円ゲージ装置を提供する。【解決手段】主軸部１０上の手持ち固定歯車１１、軸棒部１２、位置決め端部１３を包含し、それに遊星歯車部２０の第１、第２遊星歯車２１，２２と連動盤２３が組み合わされ、連接棒部３０と楕円規定部４０が駆動され、並びにこの楕円規定部が主軸部の位置決め端部を中心として回動し、これによりその上部の楕円工作部４６に位置決め端部の距離により、所定位置上に楕円を加工させる。【選択図】図１
0003136900.tif 000002
【実用新案登録請求の範囲】
【請求項１】
楕円ゲージ装置において、
主軸部であって、手持ち固定歯車、軸棒部、及び位置決め端部を具えた、上記主軸部と、
遊星歯車部であって、
第１遊星歯車であって、該軸棒部に固定されて手持ち固定歯車と噛み合い、並びに該軸棒部が回転する時、該手持ち固定歯車の周りで遊星式に回転する、上記第１遊星歯車と、  第２遊星歯車であって、該第１遊星歯車と噛み合い、その駆動を受け、且つ該第２遊星歯車はその中心軸より延伸された枢設棒が該軸棒部に枢接され、これにより該第１遊星歯車と第２遊星歯車が同期に該手持ち固定歯車の周りで遊星式に回転させられる、上記第２遊星歯車と、
連動盤であって、その盤面の軸心で該第２遊星歯車に接続されてその駆動を受ける、上記連動盤と、
を包含する、上記遊星歯車部と、
連接棒部であって、
第１連接棒であって、第１連接棒第１端部と第１連接棒第２端部を具え、該第１連接棒第１端部は該連動盤の盤面上に偏心に枢接されてその駆動を受け、これにより該第１連接棒が上下に移動する、上記第１連接棒と、
第２連接棒であって、第２連接棒第１端部と第２連接棒第２端部を具え、該第２連接棒第１端部は該第１連接棒第２端部に枢接されてその駆動を受け、これにより該第２連接棒が上下に移動する、上記第２連接棒と、
を包含する、上記連接棒部と、
楕円規定部であって、
楕円ゲージ連接部であって、該楕円規定部を該主軸部の該位置決め端部に近い部分に連接する、上記楕円ゲージ連接部と、
案内嵌合部であって、案内棒が設けられ、並びに該案内棒が第２連接棒第２端部を案内して上下に活動させる、上記案内嵌合部と、
軌道部であって、該楕円ゲージ連接部上に設けられた、上記軌道部と、
スイングアーム部であって、第１スイングアーム端部と第２スイングアーム端部が設けられ、該第１スイングアーム端部は該スイングアーム部を第２連接棒第２端部に枢接し、該第２連接棒第２端部の駆動により該スイングアーム部が上下に移動する、上記スイングアーム部と、
スライドシートであって、該スイングアーム部の第２スイングアーム端部に枢接されて駆動され、該軌道部上で左右に移動する、上記スライドシートと、
を包含する、上記楕円規定部と、
楕円工作部であって、該スライドシートに駆動され、該主軸部の位置決め端部の所定の位置の周りで、該スライドシートの軌道部上での移動に伴い、楕円を加工する、上記楕円工作部と、
を包含する、上記楕円規定部と、
を包含したことを特徴とする、楕円ゲージ装置。
【請求項２】
請求項１記載の楕円ゲージ装置において、該連接棒部がさらに第１連接棒位置制限部を包含し、該第１連接棒位置制限部により該第２連接棒第１端部を所定の角度内に制限して該第１連接棒第２端部に対して回転させることを特徴とする、楕円ゲージ装置。
【請求項３】
請求項１記載の楕円ゲージ装置において、該楕円規定部がさらに補助支持部を具え、該補助支持部がが楕円ゲージ連接部の一端を支持補助することを特徴とする、楕円ゲージ装置。
【請求項４】
請求項１記載の楕円ゲージ装置において、該手持ち固定歯車に軸棒部と接続された操作部が設けられ、該操作部を回す操作により該軸棒部の回転を制御することを特徴とする、楕円ゲージ装置。
【請求項５】
請求項１記載の楕円ゲージ装置において、該該盤面上に複数の、軸心から異なる距離の調節孔が設けられ、該第１連接棒第１端部が異なる該調節孔に枢接されることにより、該楕円工作部の加工する楕円形状を変更可能であることを特徴とする、楕円ゲージ装置。
【請求項６】
請求項１記載の楕円ゲージ装置において、該第１遊星歯車と該第２遊星歯車の歯車比が倍数で増大可能であることを特徴とする、楕円ゲージ装置。
【請求項７】
請求項６記載の楕円ゲージ装置において、該第１遊星歯車と該第２遊星歯車の歯車比が倍数で増大され、少なくとも３花弁状、４花弁状、及び多花弁状を形成可能であることを特徴とする、楕円ゲージ装置。
【請求項８】
請求項１記載の楕円ゲージ装置において、該楕円工作部が該スライドシート上でその往復移動の位置を調製可能であることを特徴とする、楕円ゲージ装置。
【請求項９】
請求項８記載の楕円ゲージ装置において、該スライドシート上に調節溝が設けられ、且つ該楕円工作部に工作部が設けられ、該楕円工作部が該調節部の締めつけ又は開放により、該調節溝上で異なる位置に調節されることにより、間接的に該調節溝上での往復移動時の該位置決め端部との距離を制御できることを特徴とする、楕円ゲージ装置。
【考案の詳細な説明】
【技術分野】
【０００１】
本考案は一種の楕円ゲージ装置に係り、主軸部、遊星歯車部、連接棒部、及び楕円規定部で構成され、主軸部関係部品を回転させる簡単な操作と同時に、所定位置に楕円を加工でき、且つさらに異なる需要により、異なるサイズの楕円、さらには同心多凸円を加工できる、楕円ゲージ装置に関する。
【背景技術】
【０００２】
伝統的な円ゲージは、ただ円形を描くことができるだけで、楕円を描く場合は、分度器で一点一点ずつ各角度の点を書き出して、さらに線で結び標準の楕円となし、手間がかかり、大型のアート或いは広告サンプルにおいては、楕円を描くのはさらに面倒であった。ゆえに、いかに構造が簡単で、操作が容易な楕円ゲージ装置を提供するかが、業界が研究を必要とする方向である。
【考案の開示】
【考案が解決しようとする課題】
【０００３】
本考案は一種の楕円ゲージ装置を提供することを課題とし、それは、主軸部、遊星歯車部、連接棒部、及び楕円規定部で構成され、主軸部関係部品を回転させる簡単な操作と同時に、所定位置に楕円を加工でき、且つさらに異なる需要により、異なるサイズの楕円、さらには同心多凸円を加工できる、楕円ゲージ装置であるものとする。
【課題を解決するための手段】
【０００４】
請求項１の考案は、楕円ゲージ装置において、
主軸部であって、手持ち固定歯車、軸棒部、及び位置決め端部を具えた、上記主軸部と、
遊星歯車部であって、
第１遊星歯車であって、該軸棒部に固定されて手持ち固定歯車と噛み合い、並びに該軸棒部が回転する時、該手持ち固定歯車の周りで遊星式に回転する、上記第１遊星歯車と、  第２遊星歯車であって、該第１遊星歯車と噛み合い、その駆動を受け、且つ該第２遊星歯車はその中心軸より延伸された枢設棒が該軸棒部に枢接され、これにより該第１遊星歯車と第２遊星歯車が同期に該手持ち固定歯車の周りで遊星式に回転させられる、上記第２遊星歯車と、
連動盤であって、その盤面の軸心で該第２遊星歯車に接続されてその駆動を受ける、上記連動盤と、
を包含する、上記遊星歯車部と、
連接棒部であって、
第１連接棒であって、第１連接棒第１端部と第１連接棒第２端部を具え、該第１連接棒第１端部は該連動盤の盤面上に偏心に枢接されてその駆動を受け、これにより該第１連接棒が上下に移動する、上記第１連接棒と、
第２連接棒であって、第２連接棒第１端部と第２連接棒第２端部を具え、該第２連接棒第１端部は該第１連接棒第２端部に枢接されてその駆動を受け、これにより該第２連接棒が上下に移動する、上記第２連接棒と、
を包含する、上記連接棒部と、
楕円規定部であって、
楕円ゲージ連接部であって、該楕円規定部を該主軸部の該位置決め端部に近い部分に連接する、上記楕円ゲージ連接部と、
案内嵌合部であって、案内棒が設けられ、並びに該案内棒が第２連接棒第２端部を案内して上下に活動させる、上記案内嵌合部と、
軌道部であって、該楕円ゲージ連接部上に設けられた、上記軌道部と、
スイングアーム部であって、第１スイングアーム端部と第２スイングアーム端部が設けられ、該第１スイングアーム端部は該スイングアーム部を第２連接棒第２端部に枢接し、該第２連接棒第２端部の駆動により該スイングアーム部が上下に移動する、上記スイングアーム部と、
スライドシートであって、該スイングアーム部の第２スイングアーム端部に枢接されて駆動され、該軌道部上で左右に移動する、上記スライドシートと、
を包含する、上記楕円規定部と、
楕円工作部であって、該スライドシートに駆動され、該主軸部の位置決め端部の所定の位置の周りで、該スライドシートの軌道部上での移動に伴い、楕円を加工する、上記楕円工作部と、
を包含する、上記楕円規定部と、
を包含したことを特徴とする、楕円ゲージ装置としている。
請求項２の考案は、請求項１記載の楕円ゲージ装置において、該連接棒部がさらに第１連接棒位置制限部を包含し、該第１連接棒位置制限部により該第２連接棒第１端部を所定の角度内に制限して該第１連接棒第２端部に対して回転させることを特徴とする、楕円ゲージ装置としている。
請求項３の考案は、請求項１記載の楕円ゲージ装置において、該楕円規定部がさらに補助支持部を具え、該補助支持部がが楕円ゲージ連接部の一端を支持補助することを特徴とする、楕円ゲージ装置としている。
請求項４の考案は、請求項１記載の楕円ゲージ装置において、該手持ち固定歯車に軸棒部と接続された操作部が設けられ、該操作部を回す操作により該軸棒部の回転を制御することを特徴とする、楕円ゲージ装置としている。
請求項５の考案は、請求項１記載の楕円ゲージ装置において、該該盤面上に複数の、軸心から異なる距離の調節孔が設けられ、該第１連接棒第１端部が異なる該調節孔に枢接されることにより、該楕円工作部の加工する楕円形状を変更可能であることを特徴とする、楕円ゲージ装置としている。
請求項６の考案は、請求項１記載の楕円ゲージ装置において、該第１遊星歯車と該第２遊星歯車の歯車比が倍数で増大可能であることを特徴とする、楕円ゲージ装置としている。
請求項７の考案は、請求項６記載の楕円ゲージ装置において、該第１遊星歯車と該第２遊星歯車の歯車比が倍数で増大され、少なくとも３花弁状、４花弁状、及び多花弁状を形成可能であることを特徴とする、楕円ゲージ装置としている。
請求項８の考案は、請求項１記載の楕円ゲージ装置において、該楕円工作部が該スライドシート上でその往復移動の位置を調製可能であることを特徴とする、楕円ゲージ装置としている。
請求項９の考案は、請求項８記載の楕円ゲージ装置において、該スライドシート上に調節溝が設けられ、且つ該楕円工作部に工作部が設けられ、該楕円工作部が該調節部の締めつけ又は開放により、該調節溝上で異なる位置に調節されることにより、間接的に該調節溝上での往復移動時の該位置決め端部との距離を制御できることを特徴とする、楕円ゲージ装置としている。
【考案の効果】
【０００５】
本考案は一種の楕円ゲージ装置を提供し、それは主軸部、遊星歯車部、連接棒部、及び楕円規定部で構成され、主軸部関係部品を回転させる簡単な操作と同時に、所定位置に楕円を加工でき、且つさらに異なる需要により、異なるサイズの楕円、さらには同心多凸円を加工できる、楕円ゲージ装置である。
【考案を実施するための最良の形態】
【０００６】
本考案は一種の楕円ゲージ装置を提供し、それは、少なくとも、
主軸部であって、手持ち固定歯車、軸棒部、及び位置決め端部を具えた、上記主軸部と、
遊星歯車部であって、
第１遊星歯車であって、該軸棒部に固定されて手持ち固定歯車と噛み合い、並びに該軸棒部が回転する時、該手持ち固定歯車の周りで遊星式に回転する、上記第１遊星歯車と、  第２遊星歯車であって、該第１遊星歯車と噛み合い、その駆動を受け、且つ該第２遊星歯車はその中心軸より延伸された枢設棒が該軸棒部に枢接され、これにより該第１遊星歯車と第２遊星歯車が同期に該手持ち固定歯車の周りで遊星式に回転させられる、上記第２遊星歯車と、
連動盤であって、その盤面の軸心で該第２遊星歯車に接続されてその駆動を受ける、上記連動盤と、
を包含する、上記遊星歯車部と、
連接棒部であって、
第１連接棒であって、第１連接棒第１端部と第１連接棒第２端部を具え、該第１連接棒第１端部は該連動盤の盤面上に偏心に枢接されてその駆動を受け、これにより該第１連接棒が上下に移動する、上記第１連接棒と、
第２連接棒であって、第２連接棒第１端部と第２連接棒第２端部を具え、該第２連接棒第１端部は該第１連接棒第２端部に枢接されてその駆動を受け、これにより該第２連接棒が上下に移動する、上記第２連接棒と、
を包含する、上記連接棒部と、
楕円規定部であって、
楕円ゲージ連接部であって、該楕円規定部を該主軸部の該位置決め端部に近い部分に連接する、上記楕円ゲージ連接部と、
案内嵌合部であって、案内棒が設けられ、並びに該案内棒が第２連接棒第２端部を案内して上下に活動させる、上記案内嵌合部と、
軌道部であって、該楕円ゲージ連接部上に設けられた、上記軌道部と、
スイングアーム部であって、第１スイングアーム端部と第２スイングアーム端部が設けられ、該第１スイングアーム端部は該スイングアーム部を第２連接棒第２端部に枢接し、該第２連接棒第２端部の駆動により該スイングアーム部が上下に移動する、上記スイングアーム部と、
スライドシートであって、該スイングアーム部の第２スイングアーム端部に枢接されて駆動され、該軌道部上で左右に移動する、上記スライドシートと、
を包含する、上記楕円規定部と、
楕円工作部であって、該スライドシートに駆動され、該主軸部の位置決め端部の所定の位置の周りで、該スライドシートの軌道部上での移動に伴い、楕円を加工する、上記楕円工作部と、
を包含する、上記楕円規定部と、
を包含する。
【実施例１】
【０００７】
図１−図６に示されるように、本考案は一種の楕円ゲージ装置とされ、それは、
主軸部１０であって、手持ち固定歯車１１、軸棒部１２、及び位置決め端部１３を具えた、上記主軸部１０と、
遊星歯車部２０であって、
第１遊星歯車２１であって、該軸棒部１２に固定されて該手持ち固定歯車１１と噛み合い、並びに該軸棒部１２が回転する時、該手持ち固定歯車１１の周りで遊星式に回転する、上記第１遊星歯車２１と、
第２遊星歯車２２であって、該第１遊星歯車２１と噛み合い、その駆動を受け、且つ該第２遊星歯車２２はその中心軸より延伸された枢設棒２２１が該軸棒部１２に枢接され、これにより該第１遊星歯車２１と第２遊星歯車２２が同期に該手持ち固定歯車１１の周りで遊星式に回転させられる、上記第２遊星歯車２２と、
連動盤２３であって、その盤面２３１の軸心で該第２遊星歯車２２に接続されてその駆動を受ける、上記連動盤２３と、
を包含する、上記遊星歯車部２０と、
連接棒部３０であって、
第１連接棒３１であって、第１連接棒第１端部３１１と第１連接棒第２端部３１２、及び第１連接棒位置制限部３１３を具え、該第１連接棒第１端部３１１は該連動盤２３の盤面２３１に偏心に枢接されてその駆動を受け、これにより該第１連接棒３１が上下に移動する、上記第１連接棒３１と、
第２連接棒３２であって、第２連接棒第１端部３２１と第２連接棒第２端部３２２を具え、該第２連接棒第１端部３２１は該第１連接棒第２端部３１２に枢接されてその駆動を受け、これにより該第２連接棒３２が上下に移動し（図６の如し）、且つ該第１連接棒位置制限部３１３が該第２連接棒第１端部３２１を所定角度内に制限し、該第１連接棒第２端部３１２に対して回転させる、上記第２連接棒３２と、
を包含する、上記連接棒部３０と、
楕円規定部４０であって、
楕円ゲージ連接部４１であって、該楕円規定部４０を該主軸部１０の該位置決め端部１３に近い部分に連接する、上記楕円ゲージ連接部４１と、
案内嵌合部４２であって、該案内嵌合部４２に案内棒４２０が設けられ、並びに該案内棒４２０が第２連接棒第２端部３２２を案内して上下に活動させる、上記案内嵌合部４２と、
軌道部４３であって、該楕円ゲージ連接部４１上に設けられた、上記軌道部４３と、
スイングアーム部４４であって、第１スイングアーム端部４４１と第２スイングアーム端部４４２が設けられ、該第１スイングアーム端部４４１は該スイングアーム部４４を第２連接棒第２端部３２２に枢接し、該第２連接棒第２端部３２２の駆動により該スイングアーム部４４が上下に移動する、上記スイングアーム部４４と、
スライドシート４５であって、該スイングアーム部４４の第２スイングアーム端部４４２に枢接されて駆動され、該軌道部４３上で左右に移動する（図７の如し）、上記スライドシート４５と、
楕円工作部４６であって、該スライドシート４５に駆動され、該主軸部１０の位置決め端部１３の所定の位置の周りで、該スライドシート４５の軌道部４３上での移動に伴い、楕円９１を加工する、上記楕円工作部４６と、
補助支持部４７であって、該楕円ゲージ連接部４１の一端の支持を補助する、上記補助支持部４７と、
を包含する、上記楕円規定部４０と、
を包含する。
【０００８】
本考案の設計により、片手で手持ち固定歯車１１を握持し、もう一方の手で軸棒部１２を操作して回転させる時、一般の紙面上に簡単に楕円を描くことができ、さらに楕円工作部４６をカッタに交換すれば、直接アクリル或いは関係する美術或いは広告サンプル上に楕円或いは多円を画定でき、相当に実用性を具備する。
【０００９】
実務上は、該手持ち固定歯車１１の上部に軸棒部１２と接続された操作部１４が設けられ、手持ち固定歯車１１を手で握持すれば、操作部１４を手で回して軸棒部１２を回転させられ、並びに遊星歯車部２０を手持ち固定歯車１１の周りで回転させることができる。
【００１０】
また、実務上、該盤面２３１上に複数の、軸心と異なる距離の調節孔２３２が設けられ、該第１連接棒第１端部３１１が異なる調節孔２３２に枢接され、並びに案内棒４２０上の複数の固定孔４２１が組み合わされて、固定孔４２１の選択により第２連接棒第２端部３２２の連結高度の設定を変化させられ、該楕円工作部４６の加工する楕円９１の形状を変化させることができる（例えば細長状或いは円形に近い楕円）。
【００１１】
且つ該手持ち固定歯車１１と第１遊星歯車２１が噛み合い連動し、該第１遊星歯車２１と第２遊星歯車２２の歯車比が倍数で増大すると、該楕円工作部４６の加工する楕円９１は多くなり、例えば１対３のとき、３つの花弁状（図９）を形成し、１対４のとき、４つの花弁状を形成し（図１０）、さらに多くの倍数比のとき、多花弁状を形成する。
【００１２】
このほか、図２に示されるように、該スライドシート４５には調節溝４５１が設けられ、該楕円工作部４６に調節部４６１が設けられ、該楕円工作部４６は該調節部４６１の締めつけ／開放により、該調節溝４５１上で異なる位置に調節され、間接的に該スイングアーム部４４の第２スイングアーム端部４４２の該軌道部４３上での左右移動の動作行程中に、該楕円工作部４６の位置決め端部１３からの距離を調節して、該楕円工作部４６の加工する楕円９１の面積を変更できる。この距離の調節と設定は、実施上、スライドシート４５上でスクリューと楕円工作部４６上のネジ孔の螺合の方式（図示せず）により達成することもできる。
【図面の簡単な説明】
【００１３】
【図１】本考案の主要な装置の表示図である。
【図２】本考案の部分構造の平面図である。
【図３】本考案の楕円規定の実施例表示図一である。
【図４】本考案の部分構造の動作表示図一である。
【図５】本考案の部分構造の動作表示図二である。
【図６】本考案の部分構造の動作表示図三である。
【図７】本考案の部分構造の動作表示図四である。
【図８】本考案の部分構造の動作表示図五である。
【図９】本考案の楕円規定の実施例表示図二である。
【図１０】本考案の楕円規定の実施例表示図三である。
【符号の説明】
【００１４】
１０  主軸部                      １１  手持ち固定歯車
１２  軸棒部                      １３  位置決め端部
１４  操作部                      ２０  遊星歯車部
２１  第１遊星歯車                ２２  第２遊星歯車
２２１  枢接棒                    ２３  連動盤
２３１  盤面                      ２３２  調節孔
３０  連接棒部                    ３１  第１連接棒
３１１  第１連接棒第１端部        ３１２  第１連接棒第２端部
３１３  第１連接棒位置制限部      ３２  第２連接棒
３２１  第２連接棒第１端部        ３２２  第２連接棒第２端部
３２３  第２連接棒位置制限部      ４０  楕円規定部
４１  楕円ゲージ連接部            ４２  案内嵌合部
４２０  案内棒                    ４２１  固定孔
４３  軌道部                      ４４  スイングアーム部
４４１  第１スイングアーム端部    ４４２  第２スイングアーム端部
４５  スライドシート              ４５１  調節溝
４６  楕円工作部                  ４６１  調節部
４７  補助支持部                  ９１  楕円
【図１】
0003136900.tif 000003
【図２】
0003136900.tif 000004
【図３】
0003136900.tif 000005
【図４】
0003136900.tif 000006
【図５】
0003136900.tif 000007
【図６】
0003136900.tif 000008
【図７】
0003136900.tif 000009
【図８】
0003136900.tif 000010
【図９】
0003136900.tif 000011
【図１０】
0003136900.tif 000012